(57)【要約】      （修正有）【課題】騒音が小さく送温風が体温に近く保温器、ブロアモーター、加湿発生のＡＩＲポンプが一体型に組込まれ絡日使用可能な就寝時いびき防止器を提供する。【解決手段】いびき防止をする前置器具のヒーター２は小型丸型高さ６ｃｍ直径１３ｃｍ外皮は熱が外に伝わらないポリカポリネート製。ヒーター部はサーモスタット７０度重量３５０ｇ上部ジャバラステンレスパイプ３を円型に設置。温風をサイレントブロアモーター５に送る。サイレントブロアモーターは、直径１０ｃｍ厚さ３ｃｍ風量２２５パスカル騒音４２．５デシベル。上記モーター下に電気配線器具を置き高低調整板２１を重ね保温器と高さを平衡にして、隣接固定する。加湿蒸気を発生させる為、ＫＯＴＯＢＵＫＩＫＯＧＥＩ製ＡＩＲポンプ５１０型、定格、観賞魚水槽に使用する小型ポンプをヒーターとブロアモーターの中間に、接着固定した。【選択図】図１
2007144199.tif 000002
【特許請求の範囲】
【請求項１】
ヒーターと、このヒーターで過熱された温風を水を入れた容器に送給するブロアと前記容器と容器の中に送給されて加湿された温風を人の鼻の近傍に送給する供給管とよりなるいびき防止具。
【請求項２】
請求項１に記載されているヒーターが前置、サイレントブロアモーターが後置。加湿蒸気を発生させる観賞魚用小型ポンプを併設組込み一体筺に造られている。ヒーター、ブロアモーター、加湿ポンプは絡日使用を目的とした器材。
【請求項３】
請求項２の一体型筺の裏側中央に抗菌フィルターソケット、空気吸入タンクを取付け、ジャバラステンレスパイプ５０ｃｍをタンク中央に螺子固定。同パイプを円形に折り曲げ、ヒーター上に設置固定、他の一方のパイプ先端を畜風タンク横に取付け、サイレントブロアモーターの吸入口に固着する。吸入タンク、畜風タンクは同形同量で中間がステンレスパイプで細くなりサイレントブロアモーターの騒音が更に軽減され畜風タンクによりブロアモーターの風量が増量され、温風がブロアモーターから排出送風され、樹脂製ジャバラホースを通し加湿容器に温風が送られる。
【請求項４】
ヒーター上に置かれる水の入った容器は円型で上蓋はプラスチック製。下の容器は耐熱ガラス製。前項ジャバラステンレスパイプが円型でヒーター上に置かれ、その内側に接置同径で密着し転倒防止される。上蓋の外側にビニール製吸入パイプ、排出パイプを取付け、その裏側に同種同径のＵ字型パイプで継ぎ、耐熱ガラス容器の温水に入り二重保温され、直接温水にふれない。排出パイプ、樹脂製ジャバラホースを経由し鼻孔に送風される。使用するビニールパイプは全て同径で２０パイ、樹脂製ジャバラホース内径２０パイ、密着はめ込みが出来る。
【請求項５】
上蓋Ｕ字パイプに側い図１の符号１０Ｔ型パイプが固着され請求項２加湿ポンプをシリコンチューブで継ぎ、温水がマイクロバブル状になり水蒸気を発生し図１の符号１９加湿ソケット、符号２０シリコンチューブを経由し図２符号２４送風蒸気ソケットで合流し、鼻孔に送られる。耳かけ鼻チューブは柔軟で軽量。就寝寺の寝返りが自由で違和感がない。
【発明の詳細な説明】
【技術分野】
【０００１】発明の本器は、サーモスタット７０℃のヒーター上にステンレスジャバラパイプ直径１３ｍｍを円形のヒーター上の側い折り曲げ設置。上述のパイプ先端に抗菌フィルター付き吸入タンクを取付け、本器を収納する筺体の裏側に固定、他の先端は畜風タンクに固定。吸入タンク、畜風タンクは同容積０．３Ｌ同量で笛音発生の防止をし、畜風タンクとサイレントブロアモーターの吸入口に取付け。サイレントブロアモーターの温風はヒーター上の耐熱ガラス容器の上蓋に取付、吸入パイプに入る。吸入パイプ、上蓋裏のＵ字形パイプに接続固定、Ｕ字パイプの他の先端は上蓋表側排出パイプに接続固定。上蓋はプラスチック製、下の部分は耐熱ガラス製容量０．５Ｌ、密栓製。温水の量は０．４Ｌを入れる。容器の温水温度は３８℃、上述パイプは温水につかるだけで器内の空気にふれない。容器の空冷を防ぎ、温度を保ち身体温度に近く送風される。ブロアモーター下に配電盤が設置されている。モーターとブロアモーターの中間に加湿蒸気を発生させる鑑賞魚水槽に使用するＫＯＴＯＢＵＫＩＫＯＧＥＩ製ＡＩＲポンプ５１０型５Ａ２．３Ｗの小型ポンプを設置する。ヒーター、ブロアモーター、ＡＩＲポンプは高さ１０ｃｍ縱２１ｃｍ横３０ｃｍの筺内収納する。上述のプラスチック製上蓋図面［図１］符号１８ジョイントソケットＡ直径７ｍｍと取付け、ＡＩＲポンプにシリコンチューブ直径６ｍｍを相互に連結する。同ソケット上蓋裏に、符号１０のマイクロバブル発生Ｔ型パイプ（ＡＢＳ樹脂製）を符号９のＵ字型温水内保温パイプに側い固着する。パイプ縦部分は直径７ｍｍ長さ７．５ｃｍ、横部分は直径１ｃｍ長さ５ｃｍ、６個の１ｍｍ穴が空いていて両サイドは密栓。［図２］符号２８のスイッチ入力でマイクロバブルの小泡を発生し、水溶酸素が増量される。上蓋［図１］の符号１９加湿ソケットＢ直径８ｍｍ高さ２ｃｍを上蓋符号１８のソケット対向する位置に取付固定する。符号６連結パイプ、符号８吸入パイプ、符号９Ｕ字パイプ、符号１１排出パイプ、［図２］符号２４連結ソケット内径２０ｍｍ、［図１］符号７ジャバラホースＡ、符号１４ジャバラホースＢは内径２０ｍｍで結束不用で密着可能。［図１］符号１９加湿ソケットＢは［図２］符号２０シリコンチューブ直径８ｍｍ長さ５０ｃｍを符号２４の送風蒸気連結ソケットの中間穴に挿入固定する。耐熱ガラス内の水蒸気はシリコンチューブ内で秒速６個〜７個のリング状の温水泡となり、符号２４連結ソケットでジャバラホース内温風と合流し鼻孔に送られる。本器は就寝時寝具の足元に設置使用する。ブロアモーターの基本騒音は４２．５デシベル、ジャバラパイプを通した検音値は３８デシベル。ブロアモーター、ＡＩＲポンプ、マイクロバブルの水流音の合算音は、寝具の足元の離間約２ｍで４２デシベルである。鼻孔部の温風温度は２８℃前後である。鼻孔装着具は長さ７５ｃｍ直径８ｍｍ、２本のシリコンチューブで鼻孔下に固着。ゴム紐で耳に掛け就寝。重量は３０ｇ。
【背景技術】
【０００２】１
従来の器械は送風が先で次にヒーター上に加湿容器を置いて、同一容器で保温と加湿を行う。容器上蓋の２個口が同一で吸入、排気いづれに使用できる容器になっている。下からヒーターで加熱しても吸入時点で空冷になる。直接水分を送り出す為、鼻孔の加湿が大きくなり調節が出来にくい。温風が身体温との差が大きく、騒音が大きい。
２
市場の製品は鼻上にバネの布製絆創膏を貼りつけ鼻孔を拡げ就寝する。起床時鼻孔に１０分〜１５分程度の蒸気を鼻孔吸咽する製品。他にコンプレッサで送風し、別器ヒーターで保温し加湿を加えて鼻孔に送る。重量が有り大型、高額、空冷になり騒音が大きい。貸出が主である。前述のスチームスカイナーは製品で立川病院推奨、エーザイ意匠登録。貸出主体の器械は外国製帝人が販売する無呼吸症候群治療器スリーブメイトがある。医師の推奨は就寝寺は鼻呼吸であるから横向き就寝、他に鼻孔・咽喉の除去手術があり、医療呼吸治療器では酸素併用機器が有る。
【発明の開示】
【発明が解決しようとしている課題】
【０００３】１
騒音を軽減する事。
２
送温風が体温に近く違和感を感じない事。
３
保温器とブロアモーターが１体型で小型、軽量である事。
４
絡日使用でも発熱、感電がなく消費電力が少ない事。
５
操作が簡単である事。
６
鼻孔挿入チューブが軽く就寝者の寝返りに対処できる事。
７
就寝時、左右の手が届く位置で入出力可能な事。
８
良好な加湿蒸気が鼻孔に入る事。
９
耐熱ガラス内でマイクロバブル発生溶解酸素を増量させる。
１０
消費電力を少なくする事。
【課題を解決する為の手段】
【０００４】本器は抗菌フィルター付吸入タンクに１３φの長さ５０ｃｍステンレスジャバラパイプを取付。同パイプは円形に折り曲げヒーターの縁に側い固定、他の一方の先端は、サイレントブロアモーターの吸入口に取付けた畜風タンクに螺子固定する。ヒーターは高さ５ｃｍヒーター径は１５ｃｍ、７０℃サーモスタット製。ヒーターは長時間使用、低電力のミルク低温器を素材とした。外皮は熱が伝わりにくいポリカポリネート製サイレントブロアモーターは厚さ３ｍｍ径１０ｃｍ樹脂製、風量は２２５パスカル騒音は４．８デシベルの直流モーターを使用。ヒーターを前に設置後にブロアモーターを接続した。モーター下部に電気配線器具を置き、ヒーターとモーターの平衡を保持、器械は一体型で金属筐か又は樹脂製の筐、深さ１０ｃｍ縦２０ｃｍ横３０ｃｍ重量３ｋｇに収納する。ヒーター上にはめ込む加湿、保温の耐熱ガラス容器は、上蓋はプラスチック製、下の容器部分は耐熱ガラス製径１１ｃｍ、上蓋は高さ２．５ｃｍガラス部分は７．５ｃｍ水４００ｍｌを入れる。ビニールパイプ直径２０ｍｍを部品の全てに使用する。後述する軽量樹脂製ジャバラホースは全て外径２２ｍｍ内径２０ｍｍを使用する。前述、プラスチック上蓋左側に吸入パイプ２ｃｍを取付け、右側２ｃｍ排出パイプ取付ける。上蓋裏側にＵ字型パイプを吸入パイプ、排出パイプに接続固定する。同パイプの底部分は水につかる状態にし上蓋と容器は廻し止密栓固定。筺内ヒーター、ブロアモーター間に観賞魚用ＡＩＲポンプを固着して置き、上蓋の手前にＡＢＳ製パイプ内径５ｍｍ、長さ１．５ｃｍのソケットパイプを固着上蓋裏側にＴ型パイプ直径１ｃｍ長さ５ｃｍ、両サイドは密栓。同パイプ上方に直径１ｍｍの６個の穴を空け、真中の部分に内径５ｍｍ同種パイプ長さ７ｃｍを縦に固着し、前述ソケットに接続。ＡＩＲポンプと上蓋ソケットをシリコチューブ直径５ｍｍで連結する。耐熱ガラス内でマイクロバブル温水泡が発生する。上蓋向い側に内径８ｍｍの同種の高さ１．５ｃｍのソケットをハメ込む。シリコンチューブ直径８ｍｍ、長さ７０ｃｍをソケットに挿し込み、他の一方を中間の［図２］符号２４の送風蒸気連結ソケットに挿し込み、温風に加湿蒸気を合流させる。
【発明の効果】
【０００５】本器は前説にサーモスタット製７０℃ヒーター上にステンレスジャバラパイプがヒーターの縁に側い固定されていてパイプの中温風はブロアモーターに入り、再びヒーター上の耐熱ガラス容器に入り、ヒーターは二重効果を発揮する。
【０００６】ヒーターは、外皮は熱が伝わりにくいポリカポリネート製ミルク保温器を素材としているので電力の消費が少なく絡日使用ができる。
【０００７】サアレントブロアモーターは軽量小型、空気取入口に畜風タンクを取付けてあるので風量が増量される。ヒーターとブロアモーターは一体型で深さ１０ｃｍ縦２０ｃｍ横３０ｃｍの筐内に収納出来、小型であり附属器具含め総重量３ｋｇである。
【０００８】耐熱ガラス容器は上蓋とガラス容器に分れ、容器は水４００ｍｌが入る。上蓋は多くの作用が出来るようにした。
その作用を下記に列記する。
【０００９】主流温風は吸入パイプと排出パイプ上蓋表側に取付け、水にひたる裏側はＵ字形パイプに連結され４００ｍｌ温水に入る。排出パイプから、筺外の［図２］符号１４樹脂製ジャバラホースＢ、符号２４送風蒸気連結ソケット、符号２３樹脂製ジャバラホースＣ、符号２６耳かけ鼻孔送風シリコンチューブを経て鼻孔下に送られる。
【００１０】加湿は［図１］符号１５マイクロバブル発生ＡＩＲポンプが符号１７ＡＩＲポンプ・Ｔ型発生パイプの連結シリコンチューブを経て上蓋裏の符号１０マイクロバブル発生Ｔ型パイプに入り６個の１ｍｍの穴から小泡を発生。マイクロバブル状になり溶解酸素を含む温水になる。
【００１１】上蓋表に取付けた［図１］符号１９加湿蒸気ソケットＢから、符号２０加湿蒸気シリコンチューブ内径８ｍｍ長さ５０ｃｍが符号２４送風蒸気連結ソケットに入り、主流温風と合流し加湿温風となり鼻孔に送られる。
【００１２】耐熱ガラス内の溶解蒸気は保温を含み毎秒６〜８個のリング状の水蒸気となる。［図１］符号２０加湿蒸気シリコンチューブは［図２］符号２４送風蒸気連結ソケット中程の穴に挿入固着する。
【００１３】サイレントブロアモーター基本騒音値４５デシベル、ＡＩＲポンプとマイクロバブルから発生する水流音を含め３８デシベル。就寝時、寝具足元約２ｍからの離間から実質測定値４２．５デシベルで騒音を感じない。
【００１４】耐熱ガラス内の温水度は３８℃、鼻孔部での測定値は２８℃。
【産業上の利用可能性】
【００１５】軽量小型で騒音が少なく、温風が身体温度に近く、家庭で使用でき、消費電力が少なく、各部品は廉価である。医療機関の協力があれば、いびき防止器だけでなく無呼吸症候の人にも利用ができる。
【図面の簡単な説明】
【００２２】
【図１】就寝時いびき防止器構造図
【図２】いびき防止器完成上面図
【図３】いびき防止器内部収納上面図
【図４】いびき防止器電気回路図
【符号の説明】
【００２３】１    吸入タンク
２    ヒーター
３    ステンレスジャバラパイプ
４    畜風タンク
５    サイレントブロアモーター
６    連結パイプ
７    樹脂製ジャバラホースＡ
８    吸入パイプ
９    Ｕ字型温水内保温パイプ
１０  マイクロバブル発生Ｔ型パイプ
１１  排出パイプ
１２  耐熱ガラス容器
１３  上蓋
１４  樹脂製ジャバラホースＢ
１５  マイクロバブル発生ＡＩＲポンプ
１６  ＡＩＲ吸入口
１７  ＡＩＲポンプ・Ｔ型発生パイプの連結シリコンチューブ
１８  ジョイントソケットＡ
１９  加湿蒸気ソケットＢ
２０  加湿蒸気シリコンチューブ
２１  高低調整盤
２２  いびき防止器収納筐
２３  樹脂製ジャバラホースＣ
２４  送風蒸気連結ソケット
２５  ＡＩＲ吸入孔
２６  耳かけ鼻孔送風シリコンチューブ
２７  入出力兼ブロアスイッチ
２８  マイクロバブル入力スイッチ
２９  サーモスタットヒータースイッチ
３０  パイロットランプ
３１  抗菌ソケット
３２  ＤＣ１２Ｖアダプター
３３  配電盤
３４  容器保持リング皿
【図１】
2007144199.tif 000003
【図２】
2007144199.tif 000004
【図３】
2007144199.tif 000005
【図４】
2007144199.tif 000006